(57)【要約】【課題】使用できるダイヤルキーが限られた移動体通信端末において、ローマ字入力を行って平仮名を表示させる際の操作性の手間を抑制する移動体通信端末及びこれに用いるプログラムを提供することを目的とする。【解決手段】「Ａ、Ｉ、Ｕ、Ｅ、Ｏ及びＮ」が互いに重ならずに配置され、かつ、「Ｋ、Ｓ、Ｔ、Ｎ、Ｈ、Ｍ、Ｙ、Ｒ及びＷ」が互いに重ならずに配置された電話番号用のダイヤルキー１１０と、「か」行から「わ」行の訓令式のローマ字表記に相当する主入力手段の押下を検出した場合に、当該押下に関連付けられた平仮名を表示手段に表示する制御装置と、を有することを特徴とする。【選択図】        図２
2008276416.tif 000002
【特許請求の範囲】
【請求項１】
「Ａ、Ｉ、Ｕ、Ｅ、Ｏ及びＮ」が互いに重ならずに配置され、かつ、「Ｋ、Ｓ、Ｔ、Ｎ、Ｈ、Ｍ、Ｙ、Ｒ及びＷ」が互いに重ならずに配置された電話番号用の主入力手段と、
「か」行から「わ」行の訓令式のローマ字表記に相当する前記主入力手段の押下を検出した場合に、当該押下に関連付けられた平仮名を表示手段に表示する制御手段と、
を有することを特徴とする移動体通信端末。
【請求項２】
前記制御手段は、「Ａ」が配置された前記主入力手段の第１の押下を検出した後に、「Ａ、Ｉ、Ｕ、Ｅ、Ｏ」のいずれかが配置された前記主入力手段の第２の押下を検出した場合に、前記第１及び第２の押下の組合せに関連付けられた平仮名を表示することを特徴とする請求項１に記載の移動体通信端末。
【請求項３】
前記制御手段は、アルファベットが配置されていない第１副入力手段の第１の押下を検出した後に、「Ａ」が配置された前記主入力手段の第２の押下を検出し、さらに、「Ａ、Ｉ、Ｕ、Ｅ、Ｏ」のいずれかが配置された前記主入力手段の第３の押下を検出した場合に、前記第２及び第３の押下の組合せに関連付けられた平仮名を拗音として表示することを特徴とする請求項１又は２に記載の移動体通信端末。
【請求項４】
前記制御手段は、アルファベットが配置されていない第１副入力手段の第１の押下を検出した後に、「Ｙ」が配置された前記主入力手段の第２の押下を検出し、さらに、「Ａ、Ｕ、Ｏ」のいずれかが配置された前記主入力手段の第３の押下を検出した場合、又は、アルファベットが配置されていない第１副入力手段の第１の押下を検出した後に、「Ｗ」が配置された前記主入力手段の第２の押下を検出し、さらに、「Ａ」が配置された前記主入力手段の第３の押下を検出した場合に、前記第２及び第３の押下に関連付けられた平仮名を拗音として表示することを特徴とする請求項１から３のいずれか１項に記載の移動体通信端末。
【請求項５】
前記制御手段は、アルファベットが配置されていない第１副入力手段の第１の押下を検出した後に、「Ｔ」が配置された前記主入力手段の第２の押下を検出し、さらに、「Ｕ」が配置された前記主入力手段の第３の押下を検出した場合に、「っ」を表示することを特徴とする請求項１から４のいずれか１項に記載の移動体通信端末。
【請求項６】
前記制御手段は、アルファベットが配置されていない第１副入力手段の第１の押下を検出した後に、「Ａ、Ｙ、Ｗ及びＴ」以外のアルファベットが配置された前記主入力手段の第２の押下を検出した場合に、前記第１の押下を無効とし、前記第２の押下を有効とすることを特徴とすることを特徴とする請求項１から５のいずれか１項に記載の移動体通信端末。
【請求項７】
前記制御手段は、「Ｎ」が配置された前記主入力手段の第１の押下を検出した後に、再度、「Ｎ」が配置された前記主入力手段の第２の押下を検出した場合に、「ん」を表示することを特徴とする請求項１から６のいずれか１項に記載の移動体通信端末。
【請求項８】
前記制御手段は、アルファベットが配置されていない第２副入力手段の押下を検出する度に、濁点、半濁点、句点及び読点を順に切り替えて表示することを特徴とする請求項１から７のいずれか１項に記載の移動体通信端末。
【請求項９】
前記制御手段は、前記平仮名が表示されるまで、前記主入力手段の押下に伴うアルファベットを表示し続けることを特徴とする請求項１から８のいずれか１項に記載の移動体通信端末。
【請求項１０】
前記制御手段は、入力すべきアルファベットが配置された一の主入力手段に対して、当該主入力手段の下に配置された他の主入力手段の押下を検出した場合に、前記一の主入力手段の押下が有効になることを特徴とする請求項１から９のいずれか１項に記載の移動体通信端末。
【請求項１１】
前記主入力手段は、発光素子を備え、
前記制御手段は、前記一の主入力手段の押下が有効になった場合に、当該一の主入力手段を点滅させることを特徴とする請求項１０に記載の移動体通信端末。
【請求項１２】
「Ａ、Ｉ、Ｕ、Ｅ、Ｏ及びＮ」が互いに重ならずに配置され、かつ、「Ｋ、Ｓ、Ｔ、Ｎ、Ｈ、Ｍ、Ｙ、Ｒ及びＷ」が互いに重ならずに配置された電話番号用の主入力手段を備えた移動体通信端末用のプログラムであって、
コンピュータを、
「か」行から「わ」行の訓令式のローマ字表記に相当する前記主入力手段の押下を検出した場合に、当該押下に関連付けられた平仮名を表示手段に表示する制御手段として機能させることを特徴とするプログラム。
【発明の詳細な説明】
【技術分野】
【０００１】
本発明は、携帯電話機等、使用できるダイヤルキーが限られる移動体通信端末において、ローマ字入力により平仮名を表示させる技術に関する。
【背景技術】
【０００２】
携帯電話機やＰＨＳ（Personal Handyphone System）等の移動体通信端末は、通話機能を備えるとともに、電子メール送受信機能や備忘録としてのメモ帳機能をも備える。特に、電子メール送信機能では、平仮名が配置された各ダイヤルキーを押下することにより日本語の文字入力が行われる。例えば、特許文献１では、各ダイヤルキーにローマ字入力方式に従ったアルファベットが割り当てられ、日本語の文字入力の操作性を高めることが開示されている。
【特許文献１】特開２０００−３４１７６１号公報
【発明の開示】
【発明が解決しようとする課題】
【０００３】
ところで、平仮名がダイヤルキーに配置された上述した移動体通信端末における日本語の文字入力では、ダイヤルキーの押下回数が多くなることが多い。例えば、「とうきょう」という文字を入力する場合には、「た」行の文字が配置されたダイヤルキーを５回押下し、「た」、「ち」、「つ」、「て」を表示させてから「と」を表示させる必要がある。さらに、「ょ」等の拗音を表示させる場合には、「や」行の文字が配置されたダイヤルキーを６回押下し、「や」、「ゆ」、「よ」、「ゃ」「ゅ」を表示させてから「ょ」を表示させる必要がある。
【０００４】
また、特許文献１に開示される携帯電話機では、ダイヤルキーに配置されている一般的なアルファベットの他に、ローマ字入力用のアルファベットも合わせて配置されているため、電子メール送信機能を利用する利用者の直感性に劣るという問題点がある。
【０００５】
本発明は、このような問題点に鑑みてなされたものであり、使用できるダイヤルキーが限られた移動体通信端末において、ローマ字入力を行って平仮名を表示させる際の操作性の手間を抑制する移動体通信端末及びこれに用いるプログラムを提供することを目的とする。
【課題を解決するための手段】
【０００６】
上記目的を達成するために、請求項１に記載の発明は、「Ａ、Ｉ、Ｕ、Ｅ、Ｏ及びＮ」が互いに重ならずに配置され、かつ、「Ｋ、Ｓ、Ｔ、Ｎ、Ｈ、Ｍ、Ｙ、Ｒ及びＷ」が互いに重ならずに配置された電話番号用の主入力手段と、「か」行から「わ」行の訓令式のローマ字表記に相当する主入力手段の押下を検出した場合に、当該押下に関連付けられた平仮名を表示手段に表示する制御手段と、を有することを特徴とする移動体通信端末である。
この構成によれば、「か」行から「わ」行の平仮名が訓令式のローマ字入力で表示手段に表示されるようになる。
【０００７】
また、請求項２に記載の発明は、請求項１に記載の発明において、制御手段は、「Ａ」が配置された主入力手段の第１の押下を検出した後に、「Ａ、Ｉ、Ｕ、Ｅ、Ｏ」のいずれかが配置された主入力手段の第２の押下を検出した場合に、第１及び第２の押下の組合せに関連付けられた平仮名を表示することを特徴としている。
この構成によれば、「あ」行の平仮名が表示されるようになる。
【０００８】
また、請求項３に記載の発明は、請求項１又は２に記載の発明において、制御手段は、アルファベットが配置されていない第１副入力手段の第１の押下を検出した後に、「Ａ」が配置された主入力手段の第２の押下を検出し、さらに、「Ａ、Ｉ、Ｕ、Ｅ、Ｏ」のいずれかが配置された主入力手段の第３の押下を検出した場合に、第２及び第３の押下の組合せに関連付けられた平仮名を拗音として表示することを特徴としている。
この構成によれば、「あ」行の平仮名が拗音として表示されるようになる。
【０００９】
請求項４に記載の発明は、請求項１から３のいずれか１項に記載の発明において、制御手段は、アルファベットが配置されていない第１副入力手段の第１の押下を検出した後に、「Ｙ」が配置された主入力手段の第２の押下を検出し、さらに、「Ａ、Ｕ、Ｏ」のいずれかが配置された主入力手段の第３の押下を検出した場合、又は、アルファベットが配置されていない第１副入力手段の第１の押下を検出した後に、「Ｗ」が配置された主入力手段の第２の押下を検出し、さらに、「Ａ」が配置された主入力手段の第３の押下を検出した場合に、第２及び第３の押下に関連付けられた平仮名を拗音として表示することを特徴としている。
この構成によれば、「や」行や「わ」行の平仮名が拗音として表示されるようになる。
【００１０】
請求項５に記載の発明は、請求項１から４のいずれか１項に記載の発明において、制御手段は、アルファベットが配置されていない第１副入力手段の第１の押下を検出した後に、「Ｔ」が配置された主入力手段の第２の押下を検出し、さらに、「Ｕ」が配置された主入力手段の第３の押下を検出した場合に、「っ」を表示することを特徴としている。
この構成によれば、促音としての「っ」が表示されるようになる。
【００１１】
請求項６に記載の発明は、請求項１から５のいずれか１項に記載の発明において、制御手段は、アルファベットが配置されていない第１副入力手段の第１の押下を検出した後に、「Ａ、Ｙ、Ｗ及びＴ」以外のアルファベットが配置された主入力手段の第２の押下を検出した場合に、第１の押下を無効とし、第２の押下を有効とすることを特徴としている。
この構成によれば、拗音や促音として成立しない文字の表示が回避されるようになる。
【００１２】
請求項７に記載の発明は、請求項１から６のいずれか１項に記載の発明において、制御手段は、「Ｎ」が配置された主入力手段の第１の押下を検出した後に、再度、「Ｎ」が配置された主入力手段の第２の押下を検出した場合に、「ん」を表示することを特徴としている。
この構成によれば、「ん」が表示されるようになる。
【００１３】
請求項８に記載の発明は、請求項１から７のいずれか１項に記載の発明において、制御手段は、アルファベットが配置されていない第２副入力手段の押下を検出する度に、濁点、半濁点、句点及び読点を順に切り替えて表示することを特徴としている。
この構成によれば、濁音や半濁音の平仮名が表示させることができるとともに、句読点も表示させることができるようになる。
【００１４】
請求項９に記載の発明は、請求項１から８のいずれか１項に記載の発明において、制御手段は、平仮名が表示されるまで、主入力手段の押下に伴うアルファベットを表示し続けることを特徴としている。
この構成によれば、主入力手段の押下の途中経過が表示され続ける。
【００１５】
請求項１０に記載の発明は、請求項１から９のいずれか１項に記載の発明において、制御手段は、入力すべきアルファベットが配置された一の主入力手段に対して、当該主入力手段の下に配置された他の主入力手段の押下を検出した場合に、一の主入力手段の押下が有効になることを特徴としている。
この構成によれば、アルファベットが配置された主入力手段を視認でき、文字の誤入力が抑制される。
【００１６】
請求項１１に記載の発明は、請求項１０に記載の発明において、主入力手段は、発光素子を備え、制御手段は、一の主入力手段の押下が有効になった場合に、当該一の主入力手段を点滅させることを特徴としている。
この構成によれば、アルファベットが配置された主入力手段を目立たせることになり、文字の誤入力が抑制される。
【００１７】
請求項１２に記載の発明は、「Ａ、Ｉ、Ｕ、Ｅ、Ｏ及びＮ」が互いに重ならずに配置され、かつ、「Ｋ、Ｓ、Ｔ、Ｎ、Ｈ、Ｍ、Ｙ、Ｒ及びＷ」が互いに重ならずに配置された電話番号用の主入力手段を備えた移動体通信端末用のプログラムであって、コンピュータを、「か」行から「わ」行の訓令式のローマ字表記に相当する主入力手段の押下を検出した場合に、当該押下に関連付けられた平仮名を表示手段に表示する制御手段として機能させることを特徴とするプログラムである。
この構成によれば、「か」行から「わ」行の平仮名が訓令式のローマ字入力で表示手段に表示されるようになる。
【発明の効果】
【００１８】
本発明によれば、使用できるダイヤルキーが限られた移動体通信端末において、ローマ字入力を行って平仮名を表示させる際の操作性の手間を抑制することができる。
【発明を実施するための最良の形態】
【００１９】
（第１実施形態）
以下、本発明の第１実施形態について、図面を参照して具体的に説明する。
図１は携帯電話機１００の構成図、図２はダイヤルキー１１０の拡大図、図３は携帯電話機１００の制御装置１３０のハードウェア構成を示すブロック図である。
携帯電話機１００は、本発明の移動体通信端末の一例であって、図１に示すように、ダイヤルキー１１０、発信キー１１１、送信キー１１２、変換キー１１３、確定キー１１４、表示パネル１２０、携帯電話機１００の内部に形成される図示しない制御装置１３０等から構成される。
【００２０】
ダイヤルキー１１０は、図２に示すように、「０」〜「９」の各数字と、「＊」及び「＃」の記号とが重ならずに配置された１２個のキーで構成される。ここで、「０」〜「９」の各数字が配置された１０個のキーは、本発明の主入力手段の一例であり、「＊」の記号が配置されたキーは、本発明の第１副入力手段の一例であり、「＃」の記号が配置されたキーは、本発明の第２副入力手段の一例である。
【００２１】
数字が配置されたそれぞれのキーには、「Ａ、Ｉ、Ｕ、Ｅ、Ｏ及びＮ」が互いに重ならずに配置され、かつ、「Ｋ、Ｓ、Ｔ、Ｎ、Ｈ、Ｍ、Ｙ、Ｒ及びＷ」が互いに重ならずに配置される。
【００２２】
例えば、図２においては、「１」が配置されたキーに対して、「Ａ、Ｂ、Ｃ、Ｄ」が配置され、「２」が配置されたキーに対して、「Ｅ、Ｆ、Ｇ、Ｈ」が配置される。以下、「３」〜「９」及び「０」が配置されたキーに対しても図２に示すアルファベットが配置される。尚、ダイヤルキー１１０に対するアルファベットの配置は、図２に示すように、「１」〜「９」及び「０」にかけて昇順にアルファベットが配置されているが、このような配置形態に限定されず、「Ａ、Ｉ、Ｕ、Ｅ、Ｏ及びＮ」が互いに重ならずに配置され、かつ、「Ｋ、Ｓ、Ｔ、Ｎ、Ｈ、Ｍ、Ｙ、Ｒ及びＷ」が互いに重ならずに配置される限りにおいては、種々の配置形態の変更が可能である。
【００２３】
さらに、記号「＊」が配置されたキーは、アルファベットが配置されず「小文字」という表記が配置され、記号「＃」が配置されたキーには、アルファベットが配置されず、それぞれ濁点、半濁点、読点及び句点に相当する「゛゜、。」が配置される。
【００２４】
したがって、携帯電話機１００を利用する利用者が電話をかけたり、電子メールを利用したりする際には、上述したこれらのダイヤルキー１１０を適宜押下して、電話番号を入力したり、文字等を入力したりする。そして、図１に示す発信キー１１１や、送信キー１１２が押下されることにより、携帯電話機１００は、入力された電話番号の通話先に電話をかけたり、電子メールの宛先に入力された文字等を送信したりする。
【００２５】
表示パネル１２０は、本発明の表示手段の一例であって、例えば液晶ディスプレイや有機ＥＬ（Electro Luminescence）ディスプレイ等で構成される。上述したダイヤルキー１１０が利用者によって押下されると、表示パネル１２０は、図１に示すように例えば「ぶっぽ」等、当該押下に応じた文字、数字、記号等を表示する。
【００２６】
制御装置１３０は、本発明の制御手段の一例であって、図３に示すように、ＣＰＵ１３０ａ等の処理装置、ＳＲＡＭ(Static Random Access Memory)、ＤＲＡＭ(Dynamic RAM)やＳＤＲＡＭ（Synchronous DRAM）等のＲＡＭ１３０ｂ、フラッシュメモリ等のＲＯＭ(Read Only Memory)１３０ｃ、ダイヤルキー１１０や表示パネル１２０等の外部装置との入出力を行うＩ／Ｆ（インタフェース）１３０ｄがバス１３０ｅにより接続されたコンピュータにより実現される。
【００２７】
したがって、ＣＰＵ１３０ａがＲＯＭ１３０ｃに格納された所要のプログラムを読み込み、当該プログラムに従った演算を行うことにより、携帯電話機１００内の各機能が実現される。
【００２８】
ここで、制御装置１３０について図４から図６を参照してさらに詳しく説明する。
図４は制御装置１３０の要部構成を示す機能ブロック図、図５はダイヤルキー１１０とアルファベットとの関連付けを示す表、図６はアルファベットの組合せと平仮名との関連付けを示す表である。
制御装置１３０は、図４に示すように、入力制御部１３１、かな変換部１３２、変換テーブル記憶部１３３、漢字変換部１３４、日本語辞書記憶部１３５、表示制御部１３６等から構成される。
【００２９】
入力制御部１３１は、ダイヤルキー１１０の押下を検出して、検出結果をかな変換部１３２や漢字変換部１３４に送信する。例えば、利用者がダイヤルキー１１０の１つである「２」の押下を検出した場合には、「２」が押下された旨の情報をかな変換部１３２に送信する。また、変換キー１１３や確定キー１１４の押下を検出した場合には、その旨の情報を漢字変換部１３４に送信する。
【００３０】
かな変換部１３２は、入力制御部１３１からの検出結果に応じて、変換テーブル記憶部１３３から検出結果に応じた平仮名を抽出して表示制御部１３６に送信する。変換テーブル記憶部１３３は、図５及び図６に示すように、ダイヤルキー１１０とアルファベットとの関連付けを示す表、及び、アルファベットの組合せと平仮名との関連付けを示す表を記憶する。尚、図５に示すアルファベットのうち、矩形で囲まれるアルファベットは、平仮名のうち、母音となり得るものを示しており、円で囲まれるアルファベットは、母音と組み合わさることにより「か」行から「わ」行に相当する子音となり得るものを示している。そして、このような矩形や円で囲まれたアルファベット以外のアルファベットは、本実施形態においては機能しない。
【００３１】
したがって、かな変換部１３２は、例えば、入力制御部１３１から「２」が押下された旨の情報を受信した場合には、まず、当該情報をバッファ等に保持し、既に保持している情報があるか否かを判断する。すなわち、押下されたダイヤルキー「２」が、図５において、「Ｅ」として判断すべきか、「Ｈ」として判断すべきか確認する必要がある。そして、母音「Ａ」を既に保持している場合には、「Ａ」と「Ｅ」とを組み合わせることで「ＡＥ」とすることができ、図６に示す表から、これに関連付けられた平仮名「え」に関する情報を表示制御部１３６に送信する。また、例えば「Ｋ」や「Ｓ」等の子音に相当するアルファベットを既に保持している場合には、「Ｋ」や「Ｓ」等と「Ｅ」とを組み合わせることで「ＫＥ」や「ＳＥ」等とすることができ、図６に示す表から、これに関連付けられた平仮名「け」や「せ」等に関する情報を表示制御部１３６に送信する。平仮名として成立した場合には、バッファに保持する情報を適宜消去するようにしてもよい。
【００３２】
一方、このような母音や子音を保持していない場合には、かな変換部１３２は、押下されたダイヤルキー「２」が、「Ｈ」として押下されたものと図５から判断することができ、この場合には、単独で平仮名を構成することができないため、当該「Ｈ」を保持するとともに、表示制御部１３６に「Ｈ」に関する情報を送信する。そして、母音に相当する文字の情報を受信するまで待機する。
【００３３】
また、かな変換部１３２は、例えば、入力制御部１３１から「＊」が押下された旨の情報を受信した場合には、当該情報をバッファ等に保持し、以降に入力される文字を拗音又は促音として小文字で表示するよう制御する。すなわち、以降に「０」「１」と順にダイヤルキー１１０が押下された場合には、図５及び図６に示す表から、拗音「ゃ」に関する情報を表示制御部１３６に送信し、「１」「６」と順にダイヤルキー１１０が押下された場合には、図５及び図６に示す表から、拗音「ぉ」に関する情報を表示制御部１３６に送信する。拗音としてはこれら以外にも、「ゅ」、「ょ」、「ぁ」「ぃ」「ぅ」「ぇ」「ゎ」等がある。さらに、入力制御部１３１から「＊」が押下された旨の情報を受信した後に、「８」「８」と順にダイヤルキーが押下された場合には、図５及び図６に示す表から、促音「っ」に関する情報を表示制御部１３６に送信する。
【００３４】
その他、「５」「５」と順にダイヤルキー１１０が押下された場合には、図５及び図６に示す表から、「ん」に関する情報を表示制御部１３６に送信し、「＃」が配置されたダイヤルキー１１０が押下された場合には、図５に示す表から、濁点「゛」、半濁点「゜」、読点「、」、句点「。」に関する情報を順に切り替えて表示制御部１３６に送信する。
【００３５】
漢字変換部１３４は、入力制御部１３１からの検出結果に応じて、表示パネル１２０に表示される平仮名に相当する一又は複数の漢字に関する情報を日本語辞書記憶部１３５から抽出して表示制御部１３６に送信する。尚、日本語辞書記憶部１３５には、予め平仮名に相当する複数の漢字が記憶されている。
【００３６】
表示制御部１３６は、かな変換部１３２や漢字変換部１３４から送信される情報に応じて、表示パネル１２０にこれらの情報に応じた平仮名や漢字を表示する。これにより、利用者はダイヤルキー１１０の押下に従って入力された文字を表示パネル１２０から見ることができる。
【００３７】
次に、制御装置１３０の動作について図７を参照して説明する。
図７は制御装置１３０の動作の一例を示すフローチャートである。
制御装置１３０は、まず、利用者からダイヤルキー１１０の押下があるまで待機状態を続け（ステップＳ１）、ダイヤルキー１１０の押下を検出すると、当該押下が「小文字」の付されたダイヤルキー１１０であるか否かを判断する（ステップＳ２）
【００３８】
制御装置１３０は、ここで、当該押下が「小文字」の付されたダイヤルキー１１０であると判断した場合には、次に入力される文字を「小文字」にする旨の情報、「Ｋ」や「Ｓ」等の子音に関する情報、「Ａ」に関する情報等を自身が既に保持しているか否かを判断する（ステップＳ３）。そして、これらの情報を保持していると判断した場合には、例えば、「小文字」にする旨の情報を保持した後にさらに「小文字」にする旨の情報を保持したり、子音に相当する文字の情報を保持した後に「小文字」にする旨の情報を保持したりするという不合理等を解消するため、処理を終了する。一方、制御装置１３０は、このような情報を保持していないと判断した場合には、次に入力される文字を小文字にするために、「小文字」の付されたダイヤルキー１１０の押下に基づき、「小文字」にする旨の情報を保持し（ステップＳ４）、ステップＳ１の処理に戻る。尚、「小文字」にする旨の情報を保持した後に、拗音や促音として成立しないアルファベット、すなわち、「Ａ、Ｙ、Ｗ及びＴ」以外のダイヤルキー１１０の押下を検出した場合には、「小文字」にする旨の情報を無効とし、「Ａ、Ｙ、Ｗ及びＴ」以外のダイヤルキー１１０の押下を有効とするようにしてもよい。
【００３９】
制御装置１３０は、ステップＳ２の処理において、ダイヤルキー１１０の押下が「小文字」の付されたダイヤルキー１１０でないと判断した場合には、次いで、「Ｋ」や「Ｓ」等の子音に相当するダイヤルキー１１０の押下であったか否かを判断する（ステップＳ５）。さらに、制御装置１３０は、子音に相当するダイヤルキーの押下であったと判断した場合には、「Ｋ」や「Ｓ」等の子音に関する情報や「Ａ」に関する情報等を自身が既に保持しているか否かを判断する（ステップＳ６）。
【００４０】
すなわち、制御装置１３０は、ステップＳ６の処理において、これらの情報を保持していると判断した場合には、例えば、「Ｋ」等の子音に相当する文字の情報を保持した後に「Ｓ」等の子音に相当する文字の情報を保持したり、「Ａ」に相当する文字の情報を保持した後に「Ｋ」等の子音に相当する文字の情報を保持したりするという不合理等を解消するため、処理を終了する。一方、制御装置１３０は、このような情報を保持していないと判断した場合には、次に入力されるべき母音「Ａ」や「Ｉ」等のために、子音に相当するダイヤルキー１１０の押下に基づき、「Ｋ」等の子音に関する情報を保持し（ステップＳ７）、ステップＳ１の処理に戻る。
【００４１】
制御装置１３０は、ステップＳ５の処理において、子音に相当するダイヤルキー１１０の押下でなかったと判断した場合、すなわち、「Ａ」や「Ｏ」等の母音に相当するダイヤルキー１１０の押下であったと判断した場合、次いで、「Ｋ」や「Ｓ」等の子音に関する情報を自身が保持しているか否かを判断する（ステップＳ８）。そして、これらの情報を保持していると判断した場合には、これらの情報と、押下されたダイヤルキー１１０に応じた母音に相当する文字の情報とを組み合わせて、図６に示す表に関連付けられた平仮名を表示パネル１２０に表示して（ステップＳ９）、処理を終了する。
【００４２】
一方、制御装置１３０は、ステップＳ８の処理において、「Ｋ」や「Ｓ」等の子音に関する情報を保持していないと判断した場合には、次いで、「Ａ」に関する情報を自身が保持しているか否かを判断する（ステップＳ１０）。すなわち、制御装置１３０は、自身が「Ａ」に関する情報を保持していると判断した場合には、「Ａ」に関する情報と、押下されたダイヤルキー１１０に応じた母音に相当する文字の情報、例えば「Ｅ」等とを組み合わせて「ＡＥ」とし、図６に示す表に関連付けられた平仮名「え」を表示パネル１２０に表示して（ステップＳ１１）、処理を終了する。
【００４３】
また、制御装置１３０は、ステップＳ１０の処理において、自身が「Ａ」に相当する文字の情報を保持していないと判断した場合には、次いで、「Ａ」以外の母音に相当する文字の情報、すなわち、「Ｉ」「Ｕ」「Ｅ」又は「Ｏ」のいずれかに相当する情報を自身が保持しているか否かを判断する（ステップＳ１２）。そして、これらの情報を保持していると判断した場合には、例えば、「Ｅ」等の母音に相当する文字の情報を保持した後に「Ｉ」等の母音に相当する文字の情報を保持するという不合理等を解消するため、処理を終了する。
【００４４】
一方、制御装置１３０は、このような情報を保持していないと判断した場合には、次に入力されるべき母音のために、「Ａ」に相当するダイヤルキー１１０の押下であれば、当該「Ａ」に関する情報を保持し（ステップＳ１３）、ステップＳ１の処理に戻る。逆に、それ以外の文字、すなわち、「Ｉ」「Ｕ」「Ｅ」又は「Ｏ」のいずれかに相当するダイヤルキー１１０の押下であれば、保持する必要がないため、処理を終了する。尚、ここで説明した制御装置１３０の動作は一例であって、「が」等の濁音、「ぱ」等の半濁音や「ん」を表示する処理は示されていないが、適宜処理を追加して、これらの文字を表示させることもできる。
【００４５】
次に、本実施形態における処理の様子について図８を参照して説明する。
図８は押下されたダイヤルキー１１０と表示パネル１２０での表示例を示す概念図である。
ここでは、一例として利用者が「仏法僧」という文字を表示させる場合について説明する。
【００４６】
利用者は、「仏法僧」を平仮名表記した「ぶっぽうそう」を表示させるために、まず、「ふ」を表示させなければならず、さらに、当該「ふ」が訓令式のローマ字表記において、「ＨＵ」であることを考慮して、「Ｈ」を表示させなければならない。したがって、利用者は、図８に示すように、ダイヤルキー１１０の「２」を押下して、表示パネル１２０にダイヤルキー１１０の「２」に配置された「Ｈ」を表示させる。尚、ダイヤルキー１１０の「２」に配置された「Ｅ」は、携帯電話機１００が「Ａ」に関する情報を保持していない状態においては機能しないため、「Ｈ」を表示させることが一意に決定する。
【００４７】
利用者は、次いで、「Ｕ」を表示させるために、ダイヤルキー１１０の「８」を押下する。これにより、「Ｈ」と「Ｕ」が組み合わされて、表示パネル１２０には「ふ」が表示される。尚、上述したとおり、「Ｈ」が表示された状態において、ダイヤルキー１１０の「８」に配置された「Ｔ」は、「Ｈ」に関する情報の後には、ローマ字として成立しないため機能せず、「Ｕ」を表示させることが一意に決定する。
【００４８】
利用者は、このようなダイヤルキー１１０の押下や「小文字」が配置されたダイヤルキー１１０の押下等により、表示パネル１２０に平仮名「ぶっぽうそう」を表示させることができ、さらに、必要に応じて、変換キー１１３、確定キー１１４等を押下して、表示パネル１２０に漢字「仏法僧」を表示させることができる。
【００４９】
したがって、従来であれば「ぶっぽうそう」という平仮名を表示させる場合であれば３０回のダイヤルキー１１０の押下が必要であったところ、本実施形態においては、１６回のダイヤルキー１１０の押下で「ぶっぽうそう」を表示させることができ、文字入力の操作性が向上する。
【００５０】
（第２実施形態）
次に、本発明の第２実施形態に係る携帯電話機１００について図９及び図１０を参照して説明する。
図９は比較例となるダイヤルキー１１０の押下の様子を示す図、図１０は第２実施形態に係るダイヤルキー１１０の押下の様子を示す図である。
【００５１】
利用者が携帯電話機１００のダイヤルキー１１０を押下して文字を入力する場合、押下されるダイヤルキー１１０は利用者自身の指によって隠れてしまうことが多い。例えば「４」が配置されたダイヤルキー１１０を押下して、「Ｍ」を入力する場合、図９に示すように、親指によって「Ｍ」が隠れてしまい、その結果、利用者は自分がどの文字を入力しようとしているのか分からなくなる可能性がある。
【００５２】
そこで、本実施形態に係る携帯電話機１００では、制御装置１３０は、入力すべきアルファベットが配置された一のダイヤルキー１１０に対して、当該ダイヤルキー１１０の下に配置された他のダイヤルキー１１０の押下を検出した場合に、一のダイヤルキー１１０の押下が有効になることを特徴としている。
【００５３】
さらに、一のダイヤルキー１１０の押下が有効になった場合に、その一のダイヤルキー１１０を点滅させることを特徴としている。例えば、図１０に示すように、「Ｍ」が配置されたダイヤルキー「４」に対して、「４」の下に配置されるダイヤルキー「７」の押下を制御装置１３０が検出した場合に、制御装置１３０は「７」の押下でなく、ダイヤルキー「４」の押下を有効とする。さらに、各ダイヤルキーに例えばＬＥＤ等の発光素子を構成し、上述したようにダイヤルキー「７」が押下された場合に、制御装置１３０がダイヤルキー「４」を発光させるようにしてもよい。これにより、利用者はどのダイヤルキーを押下したのか視覚的に分かり易くなり、誤入力を抑制できる。
【００５４】
以上本発明の好ましい実施形態について詳述したが、本発明は係る特定の実施形態に限定されるものではなく、特許請求の範囲に記載された本発明の要旨の範囲内において、種々の変形・変更が可能である。例えば、本発明のプログラムを通信手段により提供することはもちろん、ＣＤ−ＲＯＭ等の記録媒体に格納して提供することも可能である。
【００５５】
また、本発明やその実施形態においてアルファベット、数字、記号等にはかぎかっこを付して説明しているが、当該かぎかっこは、理解を助けるためのものであり、実施において必ずしも利用するものではない。さらに、本実施形態のようなローマ字入力による平仮名入力と従来のような平仮名入力とを切りかえる切替手段を携帯電話機に形成するようにしてもよい。
【産業上の利用可能性】
【００５６】
以上説明したように、本発明によれば、使用できるダイヤルキーが限られた移動体通信端末において、ローマ字入力を行って平仮名を表示させる際の操作性の手間を抑制することができ、産業上の利用可能性が高い。
【図面の簡単な説明】
【００５７】
【図１】携帯電話機の構成図である。
【図２】ダイヤルキーの拡大図である。
【図３】制御装置のハードウェア構成を示すブロック図である。
【図４】制御装置の要部構成を示す機能ブロック図である。
【図５】ダイヤルキーとアルファベットとの関連付けを示すテーブルである。
【図６】アルファベットと平仮名との関連付けを示す表である。
【図７】制御装置の動作の一例を示すフローチャートである。
【図８】押下されたダイヤルキーと表示パネルでの表示例を示す図である。
【図９】比較例となるダイヤルキーの押下の様子を示す図である。
【図１０】実施形態に係るダイヤルキーの押下の様子を示す図である。
【符号の説明】
【００５８】
１００  携帯電話機
１１０  ダイヤルキー
１１１  発信キー
１１２  送信キー
１１３  変換キー
１１４  確定キー
１２０  表示パネル
１３０  制御装置
１３０ａ  ＣＰＵ
１３０ｂ  ＲＡＭ
１３０ｃ  ＲＯＭ
１３０ｄ  Ｉ／Ｆ
１３０ｅ  バス
１３１  入力制御部
１３２  かな変換部
１３３  変換テーブル記憶部
１３４  漢字変換部
１３５  日本語辞書記憶部
１３６  表示制御部
ＴＨ  親指
【図１】
2008276416.tif 000003
【図２】
2008276416.tif 000004
【図３】
2008276416.tif 000005
【図４】
2008276416.tif 000006
【図５】
2008276416.tif 000007
【図６】
2008276416.tif 000008
【図７】
2008276416.tif 000009
【図８】
2008276416.tif 000010
【図９】
2008276416.tif 000011
【図１０】
2008276416.tif 000012